(57)【要約】【課題】水中での使用においても十分に機能する発光機構を備えた安価なルアーを提供する。【解決手段】発光ルアーは、発光ユニット２と、この発光ユニット２を内包する分割式のケースである第１ケース１及び第２ケース１０とから構成される。発光ユニット２は、第１ケース１の空間部１Ａに内包される外形を備え、ＬＥＤ３、電池４及び回路基板５を封し材料（シリコン等）で一体化したものであって、絶縁部材６並びに接点電極７Ａ及び接点電極７Ｂのみが露出した外観を有する。【選択図】図３
2010041939.tif 000002
【特許請求の範囲】
【請求項１】
電源及び前記電源から供給された電力により発光する発光機構を含み、防水加工されたユニットと、
前記ユニットを着脱自在に内包する第１ケースと、
前記ユニットが内包された第１ケースに接合される第２ケースとから構成される、発光ルアー。
【請求項２】
前記ユニットの外面には、露出した複数の端子が設けられ、前記複数の端子が電気的に接続されると、前記電源から前記発光機構へ電力が供給される電気回路が形成されるように構成されていることを特徴とする、請求項１に記載の発光ルアー。
【請求項３】
前記ユニットの外面には、露出した複数の端子が設けられ、前記複数の端子が電気的に接続されると、前記電源から前記発光機構へ電力が供給される電気回路が形成されるように構成され、
前記第１ケースと前記第２ケースとは螺合して接合され、
前記第２ケースには、前記ユニットを内包した前記第１ケースと前記第２ケースとが螺合して接合されたときに、前記露出した複数の端子を電気的に接続する接続部材が設けられていることを特徴とする請求項１に記載の発光ルアー。
【請求項４】
前記ユニットの外面には、露出した複数の端子が設けられ、前記複数の端子が電気的に接続されると、前記電源から前記発光機構へ電力が供給される電気回路が形成されるように構成され、
前記発光ルアーは、前記第２のケースに挿入されるスイッチ部材をさらに含み、
前記スイッチ部材には、前記ユニットを内包した前記第１ケースに接合された前記第２ケースに挿入されると、前記露出した複数の端子を電気的に接続する接続部材が設けられていることを特徴とする、請求項１に記載の発光ルアー。
【発明の詳細な説明】
【技術分野】
【０００１】
本発明は、釣り対象の魚が餌とする小魚の形状又は動作を模倣した疑似餌（以下、ルアー）に関し、特に、内部に発光機構を具備したルアーに関する。
【背景技術】
【０００２】
一般的に、釣りはその対象とする魚が好む各種の餌（生体）を用いて行なわれる。一方、生体ではない、取扱いが容易な疑似餌を用いた釣りもある。疑似餌には、魚の種類に応じて毛針や烏賊針等種々の形態を有するものが存在するが、魚が餌とする小魚の形状に形成されたルアーが用いられることが多い。
このようなルアーは、糸の先端に取り付けられた状態で水中に投げ込まれ、釣人により糸が引かれた際に、小魚の泳ぎを模倣する。水中を移動するルアーを見つけた魚は、ルアーに接近した際に取り付けられた針により引掛けられ、釣り上げられる。
【０００３】
生体の餌では、餌からの臭いの拡散もあり、餌の近傍まで魚が誘い寄せられる場合もあるが、疑似餌では、このような臭いによる集魚効果は期待できない。従って、集魚力を高めるために、表面に反射物を貼付する場合がある。この反射物に自然光が反射し、その集魚効果を高める。しかしながら、水中を移動させるルアーでは、自然光の水中への入射が減少するために、思ったような集魚効果は期待できない。同じ理由で、自然光が元々少ない早朝又は夕暮れ時においても集魚効果は期待できない。このようなことを背景として、内部に発光機構を具備したルアーが、以下に示すような特許文献を含め種々提案されている。
【特許文献１】実用新案第３０５０４２１号公報
【特許文献２】特開２０００−１８９００４号公報（特許第３３３０８８９号公報）
【特許文献３】特開平１０−２５７８３９号公報（特許第３４７４７５２号公報）
【発明の開示】
【発明が解決しようとする課題】
【０００４】
しかしながら、上述した特許文献に開示された発光ルアーは、分割式の発光ルアーであって、その内部に発光機構を内包して、防水のために分割部を結合した部分にＯリング等の防水パッキン（防水機構）を用いている。このため、この防水対策費用が必要となりコストが上昇する。さらに、このような防水対策を施しても使用環境及び経年変化等により防水効果が劣化することがある。このように防水効果が劣化すると、内包された発光機構（多くの場合、電源とＬＥＤ（Light Emitting Diode：発光ダイオード）とで構成される）に水が浸入して、電気素子等が損傷して発光しなくなり、この場合、発光機構の部分のみならず防水機構をも交換して使用するか、廃棄して新品を使用するかしかない。
【０００５】
そこで、本発明は、上記問題点に鑑み、水中での使用においても十分に機能する発光機構を備えた安価なルアーを提供することを目的とする。
【課題を解決するための手段】
【０００６】
上述の目的を達成するため、本発明においては以下の技術的手段を講じた。
本発明の発光ルアーは、電源及び電源から供給された電力により発光する発光機構を含み、防水加工されたユニットと、ユニットを着脱自在に内包する第１ケースと、ユニットが内包された第１ケースに接合される第２ケースとから構成される。
電源及び発光機構を含むユニットは、その外面が防水加工されているので、この発光ルアーを水中に投じて第１ケースと第２ケースとの接合面から水が浸入しても、ユニット内の電源及び発光機構が損傷することがない。このため、第１ケースと第２ケースとの接合面に防水機構（Ｏリング等の防水パッキン）を設ける必要がなくなり、水中での使用においても十分に機能する発光機構を備えた安価なルアーを提供することができる。
【０００７】
また、ユニットの外面には、露出した複数の端子が設けられ、複数の端子が電気的に接続されると、電源から発光機構へ電力が供給される電気回路が形成されるように構成している。
このため、光ることが本質的に必要な水中でのみ発光させることを、特段のスイッチを用いることなく実現できる。
さらに、ユニットの外面には、露出した複数の端子が設けられ、複数の端子が電気的に接続されると、電源から発光機構へ電力が供給される電気回路が形成されるように構成して、第１ケースと第２ケースとは螺合して接合され、第２ケースには、ユニットを内包した第１ケースと第２ケースとが螺合して接合されたときに、露出した複数の端子を電気的に接続する接続部材を設けるように構成できる。
【０００８】
第１ケースと第２ケースとを螺合して接合することにより接続部材が複数の端子を電気的に接続する。これにより、第１ケースと第２ケースとを螺合させてルアー本体を組立てるだけで、特段のスイッチを用いることなく、ルアーを発光させることができる。
ユニットの外面には、露出した複数の端子が設けられ、複数の端子が電気的に接続されると、電源から発光機構へ電力が供給される電気回路が形成されるように構成して、発光ルアーは、第２のケースに挿入されるスイッチ部材をさらに含み、スイッチ部材には、ユニットを内包した第１ケースに接合された第２ケースに挿入されると、露出した複数の端子を電気的に接続する接続部材を設けるように構成できる。
【０００９】
第１ケースと第２ケースとが接合した状態でスイッチ部材を第２ケースに挿入することにより接続部材が複数の端子を電気的に接続する。これにより、ルアー本体にスイッチ部材を挿入するだけでルアーを発光させることができ、ルアー本体に挿入されたスイッチ部材を抜き出すだけでルアーの発光を停止させることができる。
【発明の効果】
【００１０】
本発明に係る発光ルアーによれば、水中での使用においても十分に機能する発光機構を備えた安価なルアーを提供することができる。
【発明を実施するための最良の形態】
【００１１】
以下、本発明の実施形態を、図を基に説明する。なお、以下の説明では、同一の部品には同一の符号を付してある。それらの名称及び機能も同じである。したがって、それらについての詳細な説明は繰返さない。
＜第１実施形態＞
図１〜図３に、本実施形態に係る発光ルアー１１を示す。図１は、発光ルアー１１の内部が理解しやすいように、その内部を実線にて示した、発光ルアー１１を側面から見た図であり（破断線を省略して内部構造を示している）、図２は、図１に対応する発光ルアー１１の分解図であり、図３は、図２に対応する発光ルアー１１の斜視図である。
【００１２】
これらの図に示すように、この発光ルアー１１は、発光ユニット２と、この発光ユニット２を内包する分割式のケースである第１ケース１及び第２ケース１０とから構成される。第１ケース１と第２ケース１０とは、第１ケース１のねじ部１Ｂと第２ケース１０のねじ部１０Ｂとが螺合することにより一体化される。なお、後述するように、この第１ケース１と第２ケース１０との接合面（または接合部）に防水機構（例えば、Ｏリング）は設けられていない。
第１ケース１は、例えば、樹脂成型物により構成され、略円筒の形状を備える。第１ケース１は、水中での抵抗を低減するために先端部（第２ケース１０が螺合される側とは逆側の端部）が丸みを帯びている。
【００１３】
この第１ケース１の内部には、発光ユニット２を内包するための円筒形状の空間部１Ａが設けられている。空間部１Ａは、発光ユニット２の外形に合致した形状であって、容易に収納できるように空間部１Ａの内径は発光ユニット２の外径よりも少し大きくなっている。また、発光ユニット２を空間部１Ａに収納する時の抵抗を低減するために、発光ユニット２の先端部（発光ユニット２の接点電極（端子）７Ａ及び接点電極（端子）７Ｂが配置された側とは逆側の端部）が丸みを帯びていることに対応して、空間部１Ａの先端部（第２ケース１０が螺合される側とは逆側の端部）もその丸みに対応させている。
【００１４】
第１ケース１における、空間部１Ａの解放側の端部（第２ケース１０が螺合される側の端部）には、第２ケース１０のねじ部１０Ｂと螺合させるためのねじ部１Ｂが設けられている。
また、図示しないが、第１ケース１において、発光ユニット２のＬＥＤ３の部分に対応する部分は、発光ルアー１１の外部にＬＥＤ３の光が到達するように第１ケース１における透明な部分（光の伝導路）を備える。
なお、第１ケース１には、釣糸又は釣針が結び付けられる、複数の円環１Ｃが設けられている。
【００１５】
第２ケース１０は、第１ケース１と同様に例えば樹脂成型物により構成される。第２ケース１０は、発光ユニット２を収納した第１ケース１の蓋となる部材である。第２ケース１０も、第１ケース１と同様に、水中での抵抗を低減するために先端部（第１ケース１が螺合される側とは逆側の端部）が丸みを帯びている。
この第２ケース１０の内部には、発光ユニット２の２つの接点電極７Ａ及び接点電極７Ｂに当接して、これらの２つの接点電極７Ａ及び接点電極７Ｂを電気的に接続させることにより、電池４からＬＥＤ３への電気回路を形成するＵ字型の通電部材が設けられている。
【００１６】
第１ケース１と第２ケース１０とが螺合して一体化すると、通電部材９の先端に設けられた通電部材電極（端子）９Ａは発光ユニット２の接点電極７Ａに当接し、通電部材９の先端に設けられた通電部材電極（端子）９Ｂは発光ユニット２の接点電極７Ｂに当接し、通電部材９により発光ユニット２の接点電極７Ａ及び接点電極７Ｂが電気的に接続されて、電池４からＬＥＤ３への（閉じた）電気回路が形成される。さらに、第２ケース１０には、この電気的な接続を確実にするために、ばね部材８が設けられている。ばね部材８は、接点電極７Ａと通電部材電極９Ａとが互いに近接する方向に、かつ、接点電極７Ｂと通電部材電極９Ｂとが互いに近接する方向に、ばねの弾性力が作用するように、設けられている。
【００１７】
第２ケース１０における、解放側の端部（第１ケース１が螺合される側の端部）には、第１ケース１のねじ部１Ｂと螺合させるためのねじ部１０Ｂが設けられている。
なお、第２ケース１０には、釣糸又は釣針が結び付けられる、円環１０Ｃが設けられている。
発光ユニット２は、第１ケース１の空間部１Ａに内包される外形を備える。発光ユニット２は、ＬＥＤ３、電池４及び回路基板５を封し材料（シリコン等）で一体化したものであって、絶縁部材６並びに接点電極７Ａ及び接点電極７Ｂのみが露出した外観を有するとともに、発光ルアー１１を水中に投じても、封し材料によりＬＥＤ３、電池４及び回路基板５に水が浸入することはない。
【００１８】
詳しくは、発光ユニット２は、第１ケース１の空間部１Ａに収容される略筒形のユニットケース２ａと、このユニットケース２ａに設けられたＬＥＤ３、電池４及び回路基板５と、ユニットケース２ａの側面に設けられた絶縁部材６、接点電極７Ａ、接点電極７Ｂとを備えている。ユニットケース２ａの内部に封し材料２ｂが充填されている。
なお、封し材料２ｂを筒状に形成することにより、その内部にＬＥＤ３、電池４及び回路基板５を設けると共に、その側面に絶縁部材６、接点電極７Ａ、接点電極７Ｂを設けることにより発光ユニット２を形成してもよい。このような場合は、ユニットケース２ａを省くことができる。
【００１９】
電池４は、ＬＥＤ３に電力を供給するためのもので、充電可能な２次電池も充電不可能な１次電池も含んでいる。この電池４は、非充電式タイプ又は充電式タイプ（接点充電式でも非接点充電式でも構わない）であって、例えば、リチウムイオン電池、ニッケル水素電池、リチウムボタン電池等である。
電気回路５は、例えば、ＬＥＤ３の発光設定を切り換える回路部分を含んでいる。ただし、電気回路５は、ＬＥＤ３を発光するために必要な回路を構成していればよく、上記に限定されない。電気回路５は、例えば、後述するように、発光間隔又は発光輝度を非接触のスイッチ操作やリモコン操作等で切換えるための電気回路であってもよく、発光色を非接触のスイッチ操作やリモコン操作等で切換えるための電気回路（例えば、無線、通信回路）であってもよい。  絶縁部材６は、接点電極７Ａ及び接点電極７Ｂとが不必要に短絡することを防止するものである。
【００２０】
発光ユニット２のＬＥＤ３の部分であって、発光ユニット２の外側へ向かう部分は少なくとも透明の部材で構成される。これは、発光ルアー１１の外部にＬＥＤ３の光が到達するように発光ユニット２における透明な部分（光の伝導路）となる。すなわち、ＬＥＤ３から発した光は、発光ユニット２における透明な部分（光の伝導路）及び第１ケース１における透明な部分（光の伝導路）を通って、発光ルアー１１の外部に到達するようになっている。
ＬＥＤ３は、単色ＬＥＤであっても、複数の色を発光する複合ＬＥＤ（ＲＧＢ（３原色）やＲＧＢＷ（４原色）など色を発光する）であっても構わない。回路基板５は、例えば、単色ＬＥＤを使用した場合、発光間隔又は発光輝度を非接触のスイッチ操作やリモコン操作等で切換えるための電気回路を備えたり、複合ＬＥＤを使用した場合、発光間隔又は発光輝度に加えて発光色を非接触のスイッチ操作やリモコン操作等で切換えるための電気回路を備えたりする。１つの発光ルアー１１で発光状態を変化させることで、水の汚濁状態（濁った水や澄んだ水）、時間帯、魚の種類等の状態に対して、この１つの発光ルアー１１で対応できるようになる。
【００２１】
なお、単色ＬＥＤの場合、上述した光の伝導路に有色のフィルタ等を備え、そのフィルタを交換可能とすることにより、発光ルアー１１の外部に向けて様々な色の光で発光ルアー１１を発光されることができる。
電池４が充電式の場合には、図示しない充電器を用いて、接点電極７Ａ及び接点電極７Ｂから充電電力を供給して、電池４を充電する。電池４が満充電状態になると、第１ケース１の空間部１Ａの中に発光ユニット２を挿入する。
発光ユニット２が挿入された第１ケース１のねじ部１Ｂと、第２ケース１０のねじ部１０Ｂとを螺合させて、第１ケース１と第２ケース１０とを一体化させて、発光ルアー１１を組立てる。
【００２２】
なお、上述したように、発光ユニット２はシリコン等の封し材料で防水加工されており、互いに螺合される第１ケース１と第２ケース１０との間には防水機構（例えばＯリング等）が設けられていないので、第１ケース１と第２ケース１０との接合部から水が、ケース内部に浸入することがあり得る。この場合であっても、封し材料により一体化された発光ユニット２のＬＥＤ３、電池４及び回路基板５に水が浸入することはない。
この場合において、発光ユニット２の露出した接点電極７Ａ及び接点電極７Ｂに水が接触すると、その水が通電物質の代わりとなる。接点電極７Ａと接点電極７Ｂとが水により電気的に接続されるとＬＥＤ３と電池４との間で閉じた電気回路を形成して、ＬＥＤ３が点灯する。ただし、水が接触しているだけの状態であると、このようなスイッチとしての安定性が低いが、第１ケース１及び第２ケース１０で構成される空間に水が充満すれば安定的にＬＥＤ３を点灯させることができる。
【００２３】
さらに、水が浸入しない場合や水が十分に浸入しない場合を想定して、通電部材９又はばね部材８が備えられている。露出した接点電極７Ａと接点電極７Ｂが通電部材９により電気的に接続されることにより、ＬＥＤ３と電池４との間で閉じた電気回路を形成して、ＬＥＤ３が点灯する。この際、電気的な接続を安定化させるために、接点電極７Ａ及び接点電極７Ｂと通電部材９との間に、ばね部材８等が設けられている。
以上のようにして、本実施形態に係る発光ルアー１１によると、第１ケース１に、封し材料によりＬＥＤ３、電池４及び回路基板５が一体化された発光ユニット２を挿入して、第２ケース１０を第１ケース１にねじ込むことにより、ばね部材８の作用も相まって接点電極７Ａと接点電極７Ｂが通電部材９により電気的に接続されて、ＬＥＤ３が点灯する。さらに、このようにして組み立てられた発光ルアー１１を水中に投じて、第１ケース１と第２ケース１０との接合部から水が浸入しても、露出した接点電極７Ａと接点電極７Ｂとが電気的に接続されるに過ぎない。さらに、第１ケース１と第２ケース１０との接合部から水が浸入しても、発光ユニット２は、封し材料で防水加工されているため、ＬＥＤ３が点灯しなくなるという問題の発生を抑制できる。特に、ケースの接合部分に防水機構（Ｏリング等）を用いることが不要となるので、安価な発光ルアーを提供できる。
＜第２実施形態＞
以下、本発明の第２実施形態に係る発光ルアー１１１について説明する。なお、以下の説明において、前述の第１実施形態に係る発光ルアー１１と同じ構成については同じ参照符号を付してある。それらの機能も同じである。従ってそれらのついての説明はここでは繰り返さない。
【００２４】
特に、発光ユニット２は、第１実施形態に係る発光ルアー１１と第２実施形態に係る発光ルアー１１１とで共通する、全く同じユニットである。この発光ユニット２を内包するケースの内部形状も同じである。このようにすることにより、１つの発光ユニット２を、種々のルアー（ケース）に内包することができる。このため、釣り対象の魚に対応させてルアー（ケース）を選択して、そのルアー（ケース）に、共用の１つの発光ユニットを挿入することにより、高価な発光ユニットを１つ有するだけで種々のルアー（ケース）を発光させることができ、経済的である。
【００２５】
図４及び図５に、本実施形態に係る発光ルアー１１１を示す。図４は、発光ルアー１１１の内部が理解しやすいように、その内部を実線にて示した、発光ルアー１１１を側面から見た図であり（破断線を省略して内部構造を示している）、図５は、図４に対応する発光ルアー１１の分解図である。
これらの図に示すように、この発光ルアー１１１は、発光ユニット２と、この発光ユニット２を内包する分割式のケースである第１ケース１００、第２ケース１１０及び第２ケース１１０に挿入されるスイッチ部材１２０とから構成される。第１ケース１００と第２ケース１１０とは、第１ケース１００の嵌合部１００Ｂ１及び嵌合部１００Ｂ２と、第２ケース１１０の嵌合部１１０Ｂ１及び嵌合部１１０Ｂ２とが嵌合することにより一体化される。なお、後述するように、この第１ケース１００と第２ケース１１０との接合面（または接合部）に防水機構（例えばＯリング）は設けられていない。さらに、スイッチ部材１２０が第２ケース１１０に挿入されると発光ユニット２のＬＥＤ３が発光して、スイッチ部材１２０が第２ケース１１０から離脱されると発光ユニット２のＬＥＤ３の発光が停止する。
【００２６】
第１ケース１００は、例えば樹脂成型物により構成され、略小判型に類似する形状を備える。第１ケース１００は、水中での抵抗を低減するために先端部（第２ケース１１０が嵌合される側とは逆側の端部）が丸みを帯びている。
この第１ケース１００の内部には、発光ユニット２を内包するための円筒形状の空間部１００Ａが設けられている。空間部１００Ａは、発光ユニット２の外形に合致した形状であって、容易に収納できるように空間部１００Ａの内径は発光ユニット２の外径よりも少し大きくなっている。また、発光ユニット２を空間部１００Ａに収納する時の抵抗を低減するために、発光ユニット２の先端部（発光ユニット２の接点電極７Ａ及び接点電極７Ｂが配置された側とは逆側の端部）が丸みを帯びていることに対応して、空間部１００Ａの先端部（第２ケース１１０が螺合される側とは逆側の端部）もその丸みに対応させている。
【００２７】
第１ケース１００における、空間部１００Ａの解放側の端部（第２ケース１１０が嵌合される側の端部）には、第２ケース１１０の嵌合部１１０Ｂ１と螺合させるための嵌合部１００Ｂ１、第２ケース１１０の嵌合部１１０Ｂ２と螺合させるための嵌合部１００Ｂ２が設けられている。
また、図示しないが、第１ケース１００において、発光ユニット２のＬＥＤ３の部分に対応する部分は、発光ルアー１１１の外部にＬＥＤ３の光が到達するように第１ケース１００における透明な部分（光の伝導路）を備える。
【００２８】
なお、第１ケース１００には、釣糸又は釣針が結び付けられる、複数の円環１００Ｃが設けられている。
第２ケース１１０は、第１ケース１００と同様に例えば樹脂成型物により構成される。第２ケース１１０は、発光ユニット２を収納した第１ケース１００の蓋となる部材である。第２ケース１１０も、第１ケース１００と同様に、水中での抵抗を低減するために先端部（第１ケース１００が嵌合される側とは逆側の端部）が丸みを帯びている。
第２ケース１１０における、解放側の端部（第１ケース１００が嵌合される側の端部）には、第１ケース１００の嵌合部１００Ｂ１と嵌合させるための嵌合部１１０Ｂ１、第１ケース１００の嵌合部１００Ｂ２と嵌合させるための嵌合部１１０Ｂ２が設けられている。
【００２９】
さらに、第２ケース１１０における端部（第１ケース１００が嵌合される逆側の端部）には、スイッチ部材１２０の嵌合面１２０Ｄが嵌合する嵌合面１１０Ｄが設けられている。
なお、第２ケース１１０には、釣糸又は釣針が結び付けられる、円環１１０Ｃが設けられている。
このスイッチ部材１２０は、第２ケース１１０の端部（第１ケース１００が嵌合される逆側の端部）に挿入される。このとき、スイッチ部材１２０の嵌合面１２０Ｄが、第２ケース１１０の嵌合面１１０Ｄに嵌合する。
【００３０】
このスイッチ部材１２０の内部には、発光ユニット２の２つの接点電極７Ａ及び接点電極７Ｂに当接して、これらの２つの接点電極７Ａ及び接点電極７Ｂを電気的に接続させることにより、電池４からＬＥＤ３への電気回路を形成する、Ｕ字型の通電部材１２９が設けられている。第１ケース１００と第２ケース１１０とが嵌合して一体化されている状態で第２ケース１１０にスイッチ部材１２０を挿入すると、通電部材１２９の先端に設けられた通電部材電極（端子）１２９Ａは発光ユニット２の接点電極７Ａに当接し、通電部材１２９の先端に設けられた通電部材電極（端子）１２９Ｂは発光ユニット２の接点電極７Ｂに当接し、通電部材１２９により発光ユニット２の接点電極７Ａ及び接点電極７Ｂが電気的に接続されて、電池４からＬＥＤ３への（閉じた）電気回路が形成される。さらに、スイッチ部材１２０には、この電気的接続を確実にするために、ばね部材１２８が設けられている。ばね部材１２８は、接点電極７Ａと通電部材電極１２９Ａとが互いに近接する方向に、かつ、接点電極７Ｂと通電部材電極１２９Ｂとが互いに近接する方向に、ばねの弾性力が作用するように、設けられている。
【００３１】
［発光ルアーの組立て］
発光ユニット２が挿入された第１ケース１００の嵌合部１００Ｂ１及び嵌合部１００Ｂ２と、第２ケース１１０の嵌合部１１０Ｂ１及び嵌合部１１０Ｂ２とをそれぞれ嵌合させて、第１ケース１００と第２ケース１１０とを一体化させて、さらに、第２ケース１１０にスイッチ部材１２０を挿入して、発光ルアー１１１を組立てる。
このときに、第１ケース１００、第２ケース１１０及びスイッチ部材１２０の接合面に防水機構を備えないことや、そのことによる水の浸入については第１実施形態と同じである。
【００３２】
第２ケース１１０にスイッチ部材１２０を挿入されると、露出した接点電極７Ａと接点電極７Ｂが通電部材１２９により電気的に接続されることにより、ＬＥＤ３と電池４との間で閉じた電気回路を形成して、ＬＥＤ３が点灯する。この際、電気的な接続を安定化するために、接点電極７Ａ及び接点電極７Ｂと通電部材１２９との間に、ばね部材１２８等が設けられている。
以上のようにして、本実施形態に係る発光ルアー１１１によると、第１ケース１００に、封し材料によりＬＥＤ３、電池４及び回路基板５が一体化された発光ユニット２を挿入して、第２ケース１１０を第１ケース１００に嵌め込んで、スイッチ部材１２０を第２ケース１１０に嵌め込むことにより、ばね部材１２８の作用も相まって接点電極７Ａと接点電極７Ｂが通電部材１２９により電気的に接続されて、ＬＥＤ３が点灯する。スイッチ部材１２０を第２ケース１１０から抜き出すことにより、通電部材１２９による接点電極７Ａと接点電極７Ｂとの電気的な接続が解放されて、ＬＥＤ３が消灯する。さらに、このようにして組み立てられた発光ルアー１１１を水中に投じて、第１ケース１００と第２ケース１１０との接合部や第２ケース１１０におけるスイッチ部材１２０の挿入部から水が浸入しても、露出した接点電極７Ａと接点電極７Ｂとが電気的に接続されるに過ぎない。さらに、第１ケース１００と第２ケース１１０との接合部や第２ケース１１０におけるスイッチ部材１２０の挿入部から水が浸入しても、発光ユニット２は、封し材料で防水加工されているため、ＬＥＤ３が点灯しなくなるという問題の発生を抑制できる。特に、ケースの接合部分に防水機構（Ｏリング等）を用いることが不要となるので、安価な発光ルアーを提供できる。
【００３３】
今回開示された実施形態はすべての点で例示であって制限的なものではないと考えられるべきである。本発明の範囲は上記した説明ではなくて特許請求の範囲によって示され、特許請求の範囲と均等の意味及び範囲内でのすべての変更が含まれることが意図される。
【図面の簡単な説明】
【００３４】
【図１】本発明の第１実施形態に係る発光ルアーの内部を示した側面から見た図である。
【図２】図１の発光ルアーの分解図である。
【図３】図２の発光ルアーの斜視図である。
【図４】本発明の第２実施形態に係る発光ルアーの内部を示した側面から見た図である。
【図５】図４の発光ルアーの分解図である。
【符号の説明】
【００３５】
１１、１１１  発光ルアー
１、１００  第１ケース
２  発光ユニット
３  ＬＥＤ
４  電池
５  回路基板
６  絶縁部品
７Ａ、７Ｂ  接点電極
８、１２８  ばね部材
９、１２９  通電部材
９Ａ、９Ｂ、１２９Ａ、１２９Ｂ  通電部材電極
１０、１１０  第２ケース
１２０  スイッチ部材
【図１】
2010041939.tif 000003
【図２】
2010041939.tif 000004
【図３】
2010041939.tif 000005
【図４】
2010041939.tif 000006
【図５】
2010041939.tif 000007